(57)【要約】【課題】  コンバイン等の刈取収穫機のように、機体の右又は左側部に運転部が備えられている場合、刈取部の前方を適切に照射することができるように構成する。【解決手段】  刈取部の右及び左側部に右及び左のライトを備え、機体の右又は左側部に運転部を備える。右又は左の運転部側のライトの照射範囲ＲＤを前向きに設定し、右又は左の運転部とは反対側のライトの照射範囲ＬＤを、右又は左の運転部側のライトの照射範囲ＲＤよりも横外側向きに設定する。【選択図】        図６
2006042755.tif 000002
【特許請求の範囲】
【請求項１】
機体の前部に刈取部を備え、前記刈取部の右及び左側部に右及び左のライトを備えて、機体の右又は左側部に運転部を備えると共に、
前記右又は左の運転部側のライトの照射範囲を前向きに設定し、前記右又は左の運転部とは反対側のライトの照射範囲を、前記右又は左の運転部側のライトの照射範囲よりも横外側向きに設定してある刈取収穫機。
【請求項２】
前記右又は左の運転部とは反対側のライトの照射範囲の角度を、前記右又は左の運転部側のライトの照射範囲の角度よりも大きなものに設定してある請求項１に記載の刈取収穫機。
【発明の詳細な説明】
【技術分野】
【０００１】
本発明は、刈取収穫機に備えられるライトの構造に関する。
【背景技術】
【０００２】
コンバイン等の刈取収穫機では夕暮れ時や夜間でも刈取作業を行うことが増えてきており、例えば特許文献１に開示されているように、刈取部にライト（特許文献１の第１，２，３図の１）を備えたものがある。
【０００３】
【特許文献１】実開昭６３−２３１４３号公報（第１，２，３図）
【特許文献２】特開平７−２８９０５８号公報（図１，３，４，５）
【発明の開示】
【発明が解決しようとする課題】
【０００４】
コンバイン等の刈取収穫機では、機体の左右中央に運転部は備えられておらず、機体の右又は左側部に運転部が備えられていることが多い。
本発明はコンバイン等の刈取収穫機のように、機体の右又は左側部に運転部が備えられている場合、刈取部の前方を適切に照射することができるように構成することを目的としている。
【課題を解決するための手段】
【０００５】
［Ｉ］
（構成）
本発明の第１特徴は、刈取収穫機において次のように構成することにある。
機体の前部に刈取部を備え、刈取部の右及び左側部に右及び左のライトを備えて、機体の右又は左側部に運転部を備える。右又は左の運転部側のライトの照射範囲を前向きに設定し、右又は左の運転部とは反対側のライトの照射範囲を、右又は左の運転部側のライトの照射範囲よりも横外側向きに設定している。
【０００６】
（作用）
刈取収穫機において例えば図２に示すように、機体の右側部に運転部３が備えられた場合、刈取部２の左側（運転部３とは反対側）が未刈り側Ａ１（作物がまだ刈り取られていない側）となり、刈取部２の右側（運転部３側）が既刈り側Ａ２（作物が既に刈り取られた側）となるように刈取作業を行う。これにより、運転部３の前方は障害物（作物）があまり存在せず見通しのよい状態となっており、運転部３から左側は作物がまだ刈り取られていない状態となる。
【０００７】
本発明の第１特徴によると、例えば図２に示すように、刈取部２の右及び左側部に右及び左のライト２０を備えてた場合、右のライト２０の照射範囲が前向きに設定され、左のライト２０の照射範囲が右のライトの照射範囲よりも横外側向き（左側向き）に設定される。これにより、本発明の第１特徴によると、刈取部２の右側（運転部３側）に位置する右のライト２０が主に前方を照射するので、運転部３の操縦者が前方を目視し易い。
【０００８】
この場合、例えば図２に示すように、未刈り側Ａ１の作物における既刈り側Ａ２の端部の列Ｂ１が運転部３の前方に位置するような状態になることが多く、未刈り側Ａ１の作物における既刈り側Ａ２の端部の列Ｂ１を目視しながら、運転部３の操縦者は刈取収穫機の運転を行うことが多い。この場合、本発明の第１特徴によると、右のライト２０により未刈り側Ａ１の作物における既刈り側Ａ２の端部の列Ｂ１が照射されるようになるので、未刈り側Ａ１の作物における既刈り側Ａ２の端部の列Ｂ１を目視しながらの運転が行い易くなる。
【０００９】
本発明の第１特徴によると、例えば図２に示すように、刈取部２の左側（運転部３とは反対側）に位置する左のライト２０が主に未刈り側Ａ１の作物を照射することになるのであり、左のライト２０の照射範囲が右のライトの照射範囲よりも横外側向き（左側向き）に設定される点により、運転部３の操縦者から未刈り側Ａ１の作物を見た場合の視線の方向が照射されるようになり、運転部３の操縦者から未刈り側Ａ１の作物が見易くなる。
この場合、機体の左側部に運転部３が備えられると、左のライト２０の照射範囲が前向きに設定され、右のライト２０の照射範囲が左のライトの照射範囲よりも横外側向き（右側向き）に設定される。
【００１０】
（発明の効果）
本発明の第１特徴によると、刈取収穫機において、機体の右又は左側部に運転部が備えられている場合、運転部の前方及び運転部から未刈り側の作物が見易くなって、特に夕暮れ時や夜間での刈取作業の作業性及び路上での走行性を向上させることができた。
【００１１】
［ＩＩ］
（構成）
本発明の第２特徴は、本発明の第１特徴の刈取収穫機において次のように構成することにある。
右又は左の運転部とは反対側のライトの照射範囲の角度を、右又は左の運転部側のライトの照射範囲の角度よりも大きなものに設定している。
【００１２】
（作用）
本発明の第２特徴によると、本発明の第１特徴と同様に前項［Ｉ］に記載の「作用」を備えており、これに加えて以下のような「作用」を備えている。
本発明の第２特徴によると、右又は左の運転部とは反対側のライトにより、運転部から未刈り側の作物が広い範囲に亘って照射される状態となり、運転部の操縦者から未刈り側の作物を広い範囲に亘って見易くなる。
【００１３】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、運転部の操縦者から未刈り側の作物を広い範囲に亘って見易くなって、特に夕暮れ時や夜間での刈取作業の作業性及び路上での走行性を向上させることができた。
【発明を実施するための最良の形態】
【００１４】
図１及び図２に示すように、右及び左のクローラ式の走行装置１で支持された機体の前部に刈取部２を備えて、機体の前部の右側部に運転部３、機体の後部の左側部に脱穀装置４、機体の後部の右側部にグレンタンク５を備えて、刈取収穫機の一例であるコンバインが構成されている。これにより、圃場の作物が刈取部２によって刈り取られ、刈り取られた作物が脱穀装置４に送られて脱穀処理され、脱穀処理されて単粒化した作物が収穫物としてグレンタンク５に貯留される。
【００１５】
図１，２，３，４に示すように、機体に上下揺動自在に支持された主フレーム６に、刈取部２の全体が支持されており、主フレーム６を昇降駆動する昇降シリンダ７が備えられている。刈取部２は５個のデバイダ８，９，１０，１１、引き起し爪１３ａを多数備えた４組の引き起し装置１３、バリカン型式の刈取装置１４及び搬送装置１５を備えて、４条刈り型式に構成されている。
【００１６】
図１及び図２に示すように、グレンタンク５の後部に、アンローダ１２が備えられている。アンローダ１２は内部にスクリュー（図示せず）を備えており、スクリューが回転駆動されることにより、グレンタンク５の収穫物が搬送され、アンローダ１２の吐出口１２ａから排出される。アンローダ１２は横軸芯Ｐ１周りに上下に昇降駆動自在に構成され、縦軸芯Ｐ２周りに旋回駆動自在に構成されている。図１及び図２に示す状態は、運転部３の後部に備えられた受け台１７にアンローダ１２を乗せた状態であり、アンローダ１２を格納位置に配置した状態である。アンローダ１２を格納位置から上昇駆動し、横外側に旋回駆動することにより、トラック（図示せず）の荷台にグレンタンク５の収穫物を排出する。
【００１７】
図１，２，３，４に示すように、刈取部２の右及び左側部の上部にカバー１６が備えられて、右及び左のカバー１６に右及び左のライト２０が備えられている。右及び左のライト２０は、上及び下のバルブ２２，２３、上及び下のバルブ２２，２３に対するリフレクタ（反射板）２４，２５、これらを覆う透明のカバー２１等を備えて構成されている。
【００１８】
図３及び図４に示すように、右及び左のカバー１６の前部１６ａ及び横部１６ｂに亘る角部に開口部が形成されて、右及び左のカバー１６の開口部に右及び左のライト２０が嵌め込まれるように固定されている。カバー２１の前面が右及び左のカバー１６の前部１６ａ及び引き起し装置１３の前面と略同一面（又はカバー２１の前面が右及び左のカバー１６の前部１６ａ及び引き起し装置１３の前面よりも少し後側）に位置するように構成されており、カバー２１の横面が右及び左のカバー１６の横部１６ｂと略同一面に位置するように構成されている。
【００１９】
右のライト２０において、リフレクタ２４は上のバルブ２２の光を右及び左斜め前方に反射し、前方に反射するように構成されており、リフレクタ２５は下のバルブ２５の光を右及び左斜め前方に反射し、斜め前方下方に反射するように構成されている。これによって、刈取部２を地面に位置させている状態において、右のライト２０の照射範囲ＲＤは図５（ａ）及び図６に示すような状態となるのであり、右のライト２０において、下のバルブ２３によりデバイダ８が照射されている。この場合、右のライト２０の照射範囲ＲＤは前向きの比較的狭い範囲を照射する状態となるのであり、上及び下のバルブ２２，２３の光があまり拡散しないことによって、右のライト２０の照射範囲ＲＤは比較的明るいものとなる。
【００２０】
左のライト２０において、リフレクタ２４は上のバルブ２２の光を右斜め前方及び左横方に反射し、前方に反射するように構成されており、リフレクタ２５は下のバルブ２５の光を右斜め前方及び左横方に反射し、斜め前方下方に反射するように構成されている。これによって、刈取部２を地面に位置させている状態において、左のライト２０の照射範囲ＬＤは図５（ａ）及び図６に示すような状態となるのであり、左のライト２０において、下のバルブ２３によりデバイダ１０が照射されている（右又は左の運転部３とは反対側のライト２０の照射範囲ＬＤ（ＲＤ）角度が、右又は左の運転部３側のライト２０の照射範囲ＲＤ（ＬＤ）の角度よりも大きなものになっている状態に相当）。この場合、左のライト２０の照射範囲ＬＤは横外側向きの比較的広い範囲を照射する状態となるのであり、上及び下のバルブ２２，２３の光が比較的拡散することによって、左のライト２０の照射範囲ＬＤは右のライト２０の照射範囲ＲＤに比べて少し暗いものとなる。
【００２１】
図６に示すように、刈取部２を地面に位置させている状態において、右のライト２０の照射範囲ＲＤの左側部分と左のライト２０の照射範囲ＬＤの右側部分とが、平面視で刈取部２の前方で重なり合うように、右及び左のライト２０の照射範囲ＲＤ，ＬＤが設定されている。この場合、右のライト２０の照射範囲ＲＤの左側部分と左のライト２０の照射範囲ＬＤの右側部分とが刈取部２の前方で重なり合う部分ＡＤが、刈取部２の中央の所定の近距離（例えば２メートル程度）から前方に位置する状態となる。
【００２２】
図５（ａ）に示すように、刈取部２を地面に位置させている状態において、右及び左のライト２０の照射範囲ＲＤ，ＬＤは側面視で斜め前方下方に向いている。図５（ｂ）に示すように、刈取部２を上限位置まで上昇駆動すると、右及び左のライト２０の照射範囲ＲＤ，ＬＤは側面視で略前方を向く状態となる。この場合、右のライト２０の照射範囲ＲＤの左側部分と左のライト２０の照射範囲ＬＤの右側部分とが刈取部２の前方で重なり合う部分ＡＤが、刈取部２の中央の所定の遠距離（例えば８メートル程度）から前方に位置する状態となる。
【００２３】
図１，２，６に示すように、受け台１７にアンローダ１２を乗せた状態（アンローダ１２を格納位置に配置した状態）において、アンローダ１２の吐出口１２ａがデバイダ１０の前方上方の付近に位置しており、アンローダ１２の吐出口１２ａの右横側部にライト１８が取り付けられている。これにより、刈取部２の中央直前の範囲ＳＤ（右のライト２０の照射範囲ＲＤの左側部分と左のライト２０の照射範囲ＬＤの右側部分とが刈取部２の前方で重なり合う部分ＡＤと、刈取部２との間の付近）が、アンローダ１２のライト１８によって照射される。
【００２４】
図７に示すように、運転部３にライトスイッチ１９が備えられている。ライトスイッチ１９をＯＮ２位置に操作すると、右及び左のライト２０の上及び下のバルブ２２，２３が点灯し、アンローダ１２のライト１８が点灯する。ライトスイッチ１９をＯＮ１位置に操作すると、右及び左のライト２０の下のバルブ２３が点灯して、右及び左のライト２０の上のバルブ２２が消灯し、アンローダ１２のライト１８が点灯する。ライトスイッチ１９をＯＦＦ位置に操作すると、右及び左のライト２０の上及び下のバルブ２２，２３が消灯し、アンローダ１２のライト１８が消灯する。
【００２５】
コンバインでは例えば図２に示すように、刈取部２の運転部３とは反対側が未刈り側Ａ１（作物がまだ刈り取られていない側）となり、刈取部２の運転部３側が既刈り側Ａ２（作物が既に刈り取られた側）となる。この場合、デバイダ９，１０，１１は作物の株元付近に位置し作物よって隠れている状態で、運転部３からデバイダ９，１０，１１を目視できない状態である。これに対して、未刈り側Ａ１の作物における既刈り側Ａ２の端部の列Ｂ１の横外側にデバイダ８が位置しており、運転部３からデバイダ８を目視することができるのであり、未刈り側Ａ１の作物における既刈り側Ａ２の端部の列Ｂ１とデバイダ８との位置関係を目視しながら、運転部３の操縦者はコンバインの運転を行う。
【００２６】
［発明の実施の第１別形態］
前述の［発明を実施するための最良の形態］において、機体の前部の左側部に運転部３を備えるように構成してもよい。このように構成すると、左のライト２０において、リフレクタ２４が上のバルブ２２の光を右及び左斜め前方に反射して、前方に反射するように構成し、リフレクタ２５が下のバルブ２５の光を右及び左斜め前方に反射し、斜め前方下方に反射するように構成する。右のライト２０において、リフレクタ２４が上のバルブ２２の光を左斜め前方及び右横方に反射して、前方に反射するように構成し、リフレクタ２５が下のバルブ２５の光を左斜め前方及び右横方に反射し、斜め前方下方に反射するように構成する。
【００２７】
［発明の実施の第２別形態］
前述の［発明を実施するための最良の形態］［発明の実施の第１別形態］において、機体の前部の右側部に運転部３を備える場合、右のライト２０（デバイダ８側、運転部３側）をカバー１６の低い位置に備え、左のライト２０（デバイダ１０側、運転部３とは反対側）をカバー１６の高い位置に備えるように構成してもよい。逆に機体の前部の左側部に運転部３を備える場合、右のライト２０（デバイダ８側、運転部３とは反対側）をカバー１６の高い位置に備え、左のライト２０（デバイダ１０側、運転部３側）をカバー１６の低い位置に備えるように構成してもよい。
【図面の簡単な説明】
【００２８】
【図１】コンバインの全体側面図
【図２】コンバインの全体平面図
【図３】刈取部の正面図
【図４】刈取部の斜視図
【図５】刈取部を地面に位置させている状態及び刈取部を上限位置まで上昇駆動した状態での刈取部の付近の側面図
【図６】右及び左のライトの照射範囲を示す平面図
【図７】ライトスイッチの平面図
【符号の説明】
【００２９】
２          刈取部
３          運転部
２０        ライト
ＲＤ，ＬＤ  照射範囲
【図１】
2006042755.tif 000003
【図２】
2006042755.tif 000004
【図３】
2006042755.tif 000005
【図４】
2006042755.tif 000006
【図５】
2006042755.tif 000007
【図６】
2006042755.tif 000008
【図７】
2006042755.tif 000009